(57)【特許請求の範囲】
【請求項１】
柱と梁と屋根とを備え、梁は、左右方向に間隔をおいて配置してあり、後端部を躯体に固定し、前側を柱と連結してあり、屋根は、妻垂木と前枠を有し、後端部を躯体に固定し、前枠は隣り合う梁の側面間に配置してあり、妻垂木は先端部を前枠に取付けて隣り合う梁の側面間に配置してあり、屋根の妻垂木と梁間に側面パネルを設置してあることを特徴とする簡易建物。
【請求項２】
柱と梁と屋根とを備え、梁は、左右方向に間隔をおいて配置してあり、後端部を躯体に固定し、前側を柱と連結してあり、屋根は、垂木掛けと前枠と妻垂木とを各々有し、垂木掛けは、梁よりも高い位置で躯体に取付けたものであり、前枠は、梁の側面間に配置したものであり、妻垂木は、垂木掛けと前枠の端部間に架設してあり、その側面が梁の側面と対向しており、妻垂木と梁間に側面パネルを設置してあることを特徴とする簡易建物。
【請求項３】
梁が３本以上設けてあり、各梁間に屋根をそれぞれ配置してあることを特徴とする請求項１又は２記載の簡易建物。
【請求項４】
梁が３本以上設けてあり、且つパーゴラを備え、一の梁間に屋根を配置し、他の梁間にパーゴラを配置してあることを特徴とする請求項１，２又は３記載の簡易建物。
【請求項５】
複数の屋根を同一の傾斜角度で配置してあることを特徴とする請求項３又は４記載の簡易建物。
【請求項６】
屋根の前方にパーゴラを備え、パーゴラは、屋根の両側に位置する梁の対向する側面間に配置してあることを特徴とする請求項１，２，３，４又は５記載の簡易建物。
【発明の詳細な説明】
【技術分野】
【０００１】
本発明は、テラス等の簡易建物に関する。
【背景技術】
【０００２】
家屋に付設して設置されるテラス等の簡易建物は、特許文献１の第１図に示すように、屋根の後端部を垂木掛けにより躯体に固定し、屋根の前枠の両端部を支柱で支持している。広い間口に設置する簡易建物では屋根を連棟しており、この場合には特許文献１の第２図と第６図に示すように、屋根の前枠を連結金具により突き合わせ状に連結している。その際、左右の前枠が正確な位置に配置されていないと連結するのが容易ではなく、また連結箇所から雨水が漏れないようにシールする手間が必要になる。
また、土地の形状が異形である場合等に、屋根の躯体からの出幅を左側と右側で異ならせて出幅違いの屋根にすることがある。その場合に従来の簡易建物は、非特許文献１に示すように、屋根の出幅の大きい部分と小さい部分とが同一面を成すように施工しており、出幅の小さい方の屋根の前枠を出幅の大きい方の屋根の垂木の側面に連結したり、連結箇所をシールしたりする必要があり、施工が面倒であった。
また従来の簡易建物には、屋根だけを有し側面と前面が開放したもの、屋根を有し且つ側面と前面をパネル等で囲ったもの、屋根の代わりにパーゴラを設けたものがあるが、これらはそれぞれに構造が異なるため、組合わせて設置するのは困難であった。
【０００３】
非特許文献２には、屋根の後端部を躯体に固定し、屋根の前端部を躯体から前方に水平に渡した左右の梁間に固定したものが記載されている。この屋根では、屋根の妻垂木と梁間に空間が形成されているため、妻垂木と梁の間から雨が浸入する。梁を跨いで屋根を左右に連棟したとすると、屋根同士の間から雨が室内に浸入する。
【特許文献１】実公平２−１０１６６号公報
【非特許文献１】「三協立山アルミ  ウォールエクステリア総合カタログ」（カタログＮｏ．ＳＴＷ００３７Ａ  Ｃ．０７．０３−１８５）、三協立山アルミ株式会社、２００７年３月、ｐ．２９５
【非特許文献２】“Ｇルーフ”、[online]、東洋エクステリア株式会社、[平成２０年５月２６日検索]、インターネット<URL: http://www.cextension.jp/toex_webcat/show_big.asp?cat_id=EE9008&page=54&ret=cls>
【発明の開示】
【発明が解決しようとする課題】
【０００４】
本発明は以上に述べた実情に鑑み、屋根を連棟したり、屋根を出幅違いにしたり、屋根とパーゴラとを組合わせたりといったことが容易に行え、しかも屋根の妻垂木と梁の間から雨が浸入することのない簡易建物の提供を目的とする。
【課題を解決するための手段】
【０００５】
上記の課題を達成するために請求項１記載の発明による簡易建物は、柱と梁と屋根とを備え、梁は、左右方向に間隔をおいて配置してあり、後端部を躯体に固定し、前側を柱と連結してあり、屋根は、妻垂木と前枠を有し、後端部を躯体に固定し、前枠は隣り合う梁の側面間に配置してあり、妻垂木は先端部を前枠に取付けて隣り合う梁の側面間に配置してあり、屋根の妻垂木と梁間に側面パネルを設置してあることを特徴とする。
【０００６】
請求項２記載の発明による簡易建物は、柱と梁と屋根とを備え、梁は、左右方向に間隔をおいて配置してあり、後端部を躯体に固定し、前側を柱と連結してあり、屋根は、垂木掛けと前枠と妻垂木とを各々有し、垂木掛けは、梁よりも高い位置で躯体に取付けたものであり、前枠は、梁の側面間に配置したものであり、妻垂木は、垂木掛けと前枠の端部間に架設してあり、その側面が梁の側面と対向しており、妻垂木と梁間に側面パネルを設置してあることを特徴とする。
【０００９】
請求項３記載の発明による簡易建物は、請求項１又は２記載の発明の構成に加え、梁が３本以上設けてあり、各梁間に屋根をそれぞれ配置してあることを特徴とする。
【００１０】
請求項４記載の発明による簡易建物は、請求項１，２又は３記載の発明の構成に加え、梁が３本以上設けてあり、且つパーゴラを備え、一の梁間に屋根を配置し、他の梁間にパーゴラを配置してあることを特徴とする。
【００１１】
請求項５記載の発明による簡易建物は、請求項３又は４記載の発明の構成に加え、複数の屋根を同一の傾斜角度で配置してあることを特徴とする。
【００１２】
請求項６記載の発明による簡易建物は、請求項１，２，３，４又は５記載の発明の構成に加え、屋根の前方にパーゴラを備え、パーゴラは、屋根の両側に位置する梁の対向する側面間に配置してあることを特徴とする。
【発明の効果】
【００１４】
請求項１記載の発明による簡易建物は、後端部を躯体に固定し前側を柱と連結した梁を左右方向に間隔をおいて配置し、屋根は、妻垂木と前枠を有し、後端部を躯体に固定し、前枠を隣り合う梁の対向する側面間に配置し、妻垂木は先端部を前枠に取付けて隣り合う梁の側面間に配置したことで、屋根を連棟する場合でも、左右の屋根をそれぞれ独立して組み立てればよく、屋根同士を連結する必要もないため、施工が容易である。また、連棟する左右の屋根の躯体からの出幅が違う場合でも、出幅が同じ屋根を連棟する場合と同じように各屋根を独立して容易に施工でき、土地の形状や建物の凹凸等に合わせて全体として出幅違いの屋根を形成するのが容易になる。さらに、屋根の妻垂木と梁間に側面パネルを設置してあるので、妻垂木と梁の間から雨が浸入することがない。
【００１５】
請求項２記載の発明によれば、梁間に屋根を容易に且つ安定して設置できる。
【００１８】
請求項３記載の発明による簡易建物は、各屋根が梁間に配置してあってそれぞれ独立しており、屋根同士を連結する必要もないため、屋根を連棟した簡易建物を容易に施工できる。
【００１９】
請求項４記載の発明によれば、屋根とパーゴラとを左右に自由に組合わせて容易に設置することができ、且つ屋根とパーゴラはそれぞれ梁間に配置してあるため、屋根とパーゴラの躯体からの出幅を任意に設定することができ、屋根とパーゴラとで出幅を違わせることも容易である。
【００２０】
請求項５記載の発明による簡易建物は、複数の屋根の傾斜角度を同一としたことで、側方から見て屋根がすっきりして見えると共に、各屋根の部品を共通化できるためコストを削減できる。
【００２１】
請求項６記載の発明によれば、屋根の前方にパーゴラを容易に設置することができる。
【発明を実施するための最良の形態】
【００２３】
以下、本発明の実施の形態を図面に基づいて説明する。図１〜図９は本発明の簡易建物の第１実施形態を示している。この簡易建物は、住宅の外壁に付設するように設置されるテラスであって、図１，２に示すように、左右２本の梁１，１が前後方向に水平に設けてあり、左右の梁１，１間に前方に向けて下り勾配に傾斜した屋根２を設けている。梁１の前端部は、地面から鉛直に立設した柱３の上端部に連結してあり、梁１の後端部は躯体４に取付けた躯体方立５の上端部に連結してある。屋根２の側縁部に位置する妻垂木１１と梁１との間には、妻パネル６を取付けてある。本簡易建物の前面と左右の側面には、折戸式のフルオープンサッシ７ａ，７ｂを取付け、建物の周囲を囲ってある。本簡易建物の下部には、建物から前方と側方に張り出して土間８を設けてある。
【００２４】
屋根２は、図１（ａ）に示すように、後端部に躯体４に取付けた垂木掛け９を有し、前端部に左右の梁１，１間に架設した前枠１０を有し、垂木掛け９と前枠１０間に妻垂木１１と中間垂木１２を左右方向に間隔をおいて架設し、垂木１１，１２間に中桟１３を取付け、垂木１１，１２間に屋根パネル１４をそれぞれ取付けている。垂木掛け９は、左右の梁１，１の間隔と略同じ長さを有し、梁１よりも高い位置で躯体４に取付けている。前枠１０は、図３に示すように、前側に雨樋１５が一体的に形成してある。雨樋１５の端部には、図１（ａ）に示すように排水孔１６が形成してあり、柱３の内部には、図３と図９に示すように縦樋１７を設けてあり、排水孔１６と縦樋１７とをエルボ１８で連結してある。梁１と前枠１０との連結は、図３と図８に示すように、梁１の建物内側の側面にコ字形の連結金具１９をボルト２０で固定した上で、連結金具１９の上下の片部を前枠１０の中空部１０ａ内に差し込み、当該片部をボルト２１で前枠１０に固定して行っている。
屋根パネル１４は、後縁部が図４に示すように垂木掛け９の溝部９ａに差し込んで保持され、前縁部が図３に示すように前枠１０上に載置されると共にパネル押さえ２２で押さえて保持され、側縁部が図５に示すように垂木１１，１２上に載置されると共にパネル押さえ２３で押さえて保持されている。なお、図４，５中の符号２４は垂木１１，１２の後端部を垂木掛け９に固定している連結金具であり、図３中の符号２５は垂木１１，１２の前端部を前枠１０に固定している連結金具である。
【００２５】
妻垂木１１は、図５に示すように、下面の外側に妻パネル６の上縁部が係合する係合溝２６を下向きに開口して有している。妻垂木１１の前側部分は、図３に示すように梁１と交差しており、図５に示すように、妻垂木１１の外側の側面と梁１の内側の側面とが対向している。
梁１は、図５に示すように、上面の内側にカバー材２７を取付けてあり、さらにカバー材２７と係合させて梁１の側面に妻パネル受け材２８を取付けてある。妻パネル受け材２８は、妻パネル６の下縁部が係合する係合溝２８ａを上向きに開口して有しており、係合溝２８ａの底部には係合溝２８ａ内に浸入した雨水を室外側に排水するための排水孔５７が設けてある。カバー材２７は、梁１の後端より前枠１０の手前まで設けてあり、妻パネル受け材２８は、梁１の後端より妻垂木１１と梁１との交差部まで設けてある（図１０−１（ｅ）参照。）。妻パネル受け材２８の前側端部は、図２７に示すように、梁１の側面に取付けた端部キャップ５９に嵌め込んであり、図２８に示すように、端部キャップ５９及び妻パネル受け材２８の係合溝２８ａが妻垂木１１下面の係合溝２６内に嵌合している。カバー材２７は側面にタイト材２９を有し、図５に示すように、タイト材２９は妻パネル受け材２８と妻垂木１１の側面に当接しており、このタイト材２９により梁１と妻パネル受け材２８との隙間、及び梁１と妻垂木１１との隙間を塞いでいる。図４〜６に示すように、躯体方立５の上端部内側面と垂木掛け９の端部下面との間には躯体柱３０を設けてあり、躯体柱３０の前面に妻パネル受け材３１を取付けてある。妻パネル受け材３１は、妻パネル６の後縁部が係合する係合溝３１ａを前向きに開口して有している。妻パネル６は、図７に示すように、３本の框３２ａ，３２ｂ，３２ｃを直角三角形状に枠組みし、その枠内に樹脂パネル３３を嵌め込んだものとなっており、このように框組みした周囲の枠を、梁１の妻パネル受け材２８の係合溝２８ａ、躯体柱３０の妻パネル受け材３１の係合溝３１ａ、妻垂木１１の係合溝２６にそれぞれ係合させて妻パネル６を取付けている。妻パネル６の周囲から浸入した雨水は、梁１に取付けた妻パネル受け材２８の係合溝２８ａに導かれ、図５中の矢印５８に示すように、係合溝２８ａの底部に形成した排水孔５７より室外側に排水される。なお、図４〜図６中の符号３４は、梁１の後端部を躯体方立５上端部に固定している連結金具であり、符号３５は躯体柱３０の下端部を躯体方立５上端部側面に固定している連結金具であり、符号３６は躯体柱３０の上端部を垂木掛け９下面に固定している連結金具である。
【００２６】
柱３は、図９に示すように、柱本体３ａと、柱本体３ａの側面と後面に取付けた目板３ｂと、柱本体３ａの前面に取付けた雨樋カバー３ｃと、雨樋カバー３ｃの前面に取付けた柱カバー３ｄとを有している。柱３と梁１との連結は、図８，９に示すように、梁１の下面の前端部にコ字形の連結金具３７をボルト３８で固定した上で、連結金具３７の前後の片部を柱本体３ａ内に差し込み、前後からのボルト３９で当該片部を柱本体３ａに固定して行っている。雨樋カバー３ｃ内には、縦樋１７がサドル４０で保持して収納してある。屋根２の上に降った雨水は、前枠１０の雨樋１５に溜まり、雨樋１５端部の排水孔１６からエルボ１８と縦樋１７を通じて建物の外に排水される。
【００２７】
前面のフルオープンサッシ７ａは、図１（ｂ）に示すように、上枠４１ａと下枠４１ｂと左右の竪枠４１ｃとを枠組みしてなる枠４１を柱３，３間の間口に固定し、同枠４１内に６枚建ての折戸４２を上吊り式に建て込んでいる。折戸４２は室外側に突き出すように折り畳むことができ、柱３，３間の間口を全開できる。側面のフルオープンサッシ７ｂも同様の構成となっている。なお、フルオープンサッシ７ａ，７ｂを取付ける代わりに、メッシュパネルやルーバーパネル等を全面的に、あるいは部分的に取付けることもできる。また、サッシやパネル等を取付けることなく、前面や側面を開放することもできる。
土間８は、ウッドデッキやコンクリートで形成することができる。また、土間を設ける代わりに、住宅の室内の床と同じ高さで床を設けることもできる。
【００２８】
本簡易建物の施工手順を図１０−１，１０−２に即して説明する。まず、図１０−１（ａ）に示すように、柱３（柱本体３ａ）を地面から立設し、躯体４に躯体方立５を取付け、柱３と躯体方立５間に梁１を架設する。次に、図１０−１（ｂ）に示すように、左右の梁１，１間に前枠１０を架設し、左右の柱３，３の下部間にベース材４３を架設し、柱３と躯体方立５の下部間にベース材４３を架設する。ベース材４３は、中間部を束柱４４で支持する。次に、図１０−１（ｃ）に示すように、垂木掛け９を躯体４に取付け、垂木掛け９の端部下面と躯体方立５の上部内側面間に躯体柱３０を渡す。次に、図１０−１（ｄ）に示すように、梁１上面にカバー材２７を取付ける。次に、図１０−１（ｅ）に示すように、梁１と躯体柱３０とに妻パネル受け材２８，３１を取付ける。次に、１０−１（ｆ）に示すように、妻パネル受け材２８，３１の係合溝２８ａ，３１ａに係合させて妻パネル６を取付ける。次に、１０−１（ｇ）に示すように、垂木掛け９と前枠１０の端部間に妻垂木１１を架設する。このとき、妻垂木１１下面の係合溝２６に妻パネル６の上縁部を係合させる。次に、図１０−２（ｈ）に示すように、垂木掛け９と前枠１０間に中間垂木１２を架設し、妻垂木１１と中間垂木１２間に中桟１３を架設する。次に、図１０−２（ｉ）に示すように、柱３に縦樋１７、雨樋カバー３ｃ、柱カバー３ｄを取付ける。次に、１０−２（ｊ）に示すように、垂木１１，１２間に屋根パネル１４を取付ける。その後、建物の前面と側面の開口部にフルオープンサッシ７ａ，７ｂを取付け、下部に土間８を形成すれば簡易建物が完成する。施工手順は、順番を適宜入れ替えてもよく、例えば土間８の形成を最初に行うこともできる。
【００２９】
図１１〜１３は、本発明の簡易建物の第２実施形態を示している。本簡易建物は、３本の梁１ａ，１ｂ，１ｃを左右方向に間隔をおいて設けてあり、左側の梁１ａと中間の梁１ｂの間、中間の梁１ｂと右側の梁１ｃの間に、躯体４からの出幅の異なる屋根２ａ，２ｂを設けている。各梁１ａ，１ｂ，１ｃは、後端部を躯体方立５の上端部に連結し、前端部を柱３の上端部に連結してあり、さらに中間の梁１ｂは、右側の柱３と同じ前後方向位置に設けた中間柱４５で中間部を支持してある。左側の屋根２ａの下方のスペースは、前面側に折戸式のフルオープンサッシ７ａを取付け、側面側にフルオープンサッシ７ｂとパネル４６を取付けて周囲を囲ってあり、右側の屋根２ｂの下のスペースの前面側と右側面は開放している。
左右の屋根２ａ，２ｂは、第１実施形態のものと同様のそれぞれ独立した構造となっており、図１１と図１３に示すように、両屋根２ａ，２ｂの間には梁１ｂの幅分だけ隙間４７が開いており、両屋根２ａ，２ｂの妻垂木１１と梁１ａ，１ｂ，１ｃの間には妻パネル６をそれぞれ取付けてある。また左右の屋根２ａ，２ｂは、図１２に示すように、同一の傾斜角度で段違い状に設けてあり、垂木掛け９の躯体４への取付け高さを違わせることで両屋根の出幅の違いを吸収している。屋根２ａ，２ｂの前枠１０は、左側の梁１ａと中間の梁１ｂ間、中間の梁１ｂと右側の梁１ｃ間にそれぞれ配置して固定してある。左右の屋根２ａ，２ｂで、垂木掛け９、前枠１０、妻垂木１１、中間垂木１２、中桟１３は、同一の断面形状のものを、躯体４からの出幅と左右方向の幅に応じて切断して用いており、部材同士を連結する各連結金具は共通のものを使用している。
このように、本発明の構造によれば、出幅違いの屋根２ａ，２ｂを連棟する場合でも、左右の屋根２ａ，２ｂを独立して施工すればよく、屋根同士を連結する必要もないため、施工が容易である。また、一つの簡易建物で囲い付きのスペースと囲い無しのスペースを設けることも容易にできる。屋根２ａ，２ｂは、垂木掛け９の取付け高さを違わせて同一の傾斜角度で配置してあるため、側方から見て屋根２ａ，２ｂがすっきりした良好な外観となり、また前枠１０や垂木掛け９等の各部品を共通化してコストを削減できる。
左右の屋根２ａ，２ｂの出幅を同じにすることももちろん可能である。また、上記実施形態では出幅違いの２つの屋根２ａ，２ｂを、躯体４側を揃えて連棟しているが、図２６（ａ）に示すように、出幅違いの屋根２ａ，２ｂを前側を揃えて連棟することで、躯体４に入隅部５６がある場合に対応することもできる。また図２６（ｂ）に示すように、躯体に入隅部５６がある場合に、出幅が同じ屋根２ａ，２ｂを前後方向にずらして連棟することもできる。
【００３０】
図１４〜図１８は、本発明の簡易建物の第３実施形態を示している。本実施形態では、３本の梁１ａ，１ｂ，１ｃを左右方向に間隔をおいて設けてあり、各梁間に出幅の等しい屋根２ａ，２ｂをそれぞれ設けている。左側の梁１ａと中間の梁１ｂは、屋根の前枠１０よりも前方までのびており、屋根２ａの前方の梁１ａ，１ｂ間にパーゴラ４８を設けている。各梁１ａ，１ｂ，１ｃは、後端部を躯体方立５の上端部に連結し、前端部を柱３の上端部に連結してあり、さらに左側の梁１ａと中間の梁１ｂは、右側の柱３と同じ前後方向位置に設けた中間柱４５で中間部を支持してある。
パーゴラ４８は、梁１ａ，１ｂ間の前端部と屋根２ａの前枠１０のすぐ前方とに架設した２本の横桟４９ａ，４９ｂと、前後の横桟４９ａ，４９ｂ間に間隔をおいて架設した複数本の縦桟５０，５０，…とで構成してある。図１６〜１８中の符号５１は、前側の横桟４９ａの端部を梁１ａ，１ｂの前端部に連結している連結金具であり、符号５２は後側の横桟４９ｂの端部を梁１ａ，１ｂの中間部に連結している連結金具であり、符号５３は縦桟５０の端部を横桟４９ａ，４９ｂに連結している連結金具である。屋根２ａ，２ｂの構造及び施工方法は、第１実施形態のものと同様である。
このように、梁１ａ，１ｂを屋根の前枠１０よりも前方までのばし、梁１ａ，１ｂ間にパーゴラ４８を取付けることで、屋根２ａの前方に隣接してパーゴラ４８を配置することが容易にできる。パーゴラ４８は、梁１ａ，１ｂが水平に設けてあることから、水平に配置できる。
【００３１】
図１９は、第３実施形態の簡易建物の変形例を示している。この実施形態では、右側の梁１ｃも他の梁１ａ，１ｂと同様に屋根の前枠１０よりも前方までのばし、同梁１ｃの前端部に柱３を設けると共に、右側の梁１ｃと中間の梁１ｂ間の前端部に連結材５４（パーゴラ４８の前側の横桟４９ａと同一部材）を設け、右側の屋根２ｂの前方に屋根もパーゴラも無い空間部５５を設けている。
【００３２】
図２０，２１は、本発明の簡易建物の第４実施形態を示している。本実施形態では、３本の梁１ａ，１ｂ，１ｃを左右方向に間隔をおいて設けてあり、左側の梁１ａと中間の梁１ｂ間にパーゴラ４８を設け、中間の梁１ｂと右側の梁１ｃ間に屋根２を設けている。左側の梁１ａと中間の梁１ｂは右側の梁１ｃよりも前方に突き出しており、パーゴラ４８の出幅は屋根２の出幅よりも大きくなっている。パーゴラ４８は、第３実施形態のものと同様に、前後の横桟４９ａ，４９ｂと複数本の縦桟５０とで構成してある。屋根２は、第１実施形態と同様に構成してある。
このように、本発明の構造によれば、屋根２の側方にパーゴラ４８を隣接して配置することもできる。
【００３３】
図２２，２３は、本発明の簡易建物の第５実施形態を示している。本実施形態では、４本の梁１ａ，１ｂ，１ｃ，１ｄを左右方向に間隔をおいて設けてあり、各梁間に屋根２ａ，２ｂ，２ｃをそれぞれ設けている。屋根２ａ，２ｂ，２ｃは、出幅を３つとも違わせている。このように、梁１ａ，１ｂ，１ｃ，１ｄと柱３を増設することで、屋根を３つ以上連棟することも可能であり、しかも各屋根２ａ，２ｂ，２ｃが独立していることから、出幅がそれぞれ違っていても出幅が同じ場合と同様に容易に施工でき、本実施形態のような複雑な形状の出幅違いの屋根でも容易に形成できる。３つの屋根２ａ，２ｂ，２ｃの出幅を全部同じにしたり、３つの屋根２ａ，２ｂ，２ｃのうちの何れか２つの屋根の出幅を同じにすることもできる。
【００３４】
図２４，２５は、本発明の簡易建物の第６実施形態を示している。本実施形態では、４本の梁１ａ，１ｂ，１ｃ，１ｄを左右方向に間隔をおいて設けてあり、左から１本目と２本目の梁１ａ，１ｂの間と、３本目と４本目の梁１ｃ，１ｄの間とに屋根２ａ，２ｂをそれぞれ設け、２本目と３本目の梁１ｂ，１ｃ間にパーゴラ４８を設けている。パーゴラ４８は、屋根２ａ，２ｂよりも出幅が小さくなっているが、屋根２ａ，２ｂと同じ出幅にすることもできる。また、左右の屋根２ａ，２ｂの出幅を違わせることもできる。
【００３５】
以上に述べたように本発明の簡易建物は、水平な梁１，１ａ，１ｂ，１ｃ，１ｄと柱３とを連結した側面視Ｌ形のフレームを左右方向に間隔をおいて複数設け、梁間に屋根２，２ａ，２ｂ，２ｃとパーゴラ４８を取付けるようにしたので、任意の出幅・間口の屋根２，２ａ，２ｂ，２ｃとパーゴラ４８を前後や左右に自由にレイアウトすることができ、施工も容易に行えるものである。また、囲い付きの閉じた空間と、囲いの無いオープンな空間を隣接して設けるのも容易である。よって、土地の広さや形状、使用者のライフスタイルに合わせた簡易建物を、低コストで提供することができる。屋根２，２ａ，２ｂ，２ｃは、梁１，１ａ，１ｂ，１ｃ，１ｄの間ごとに独立したものとなり、屋根同士の間には隙間４７が開くが、屋根の妻垂木１１と梁１，１ａ，１ｂ，１ｃ，１ｄの間に妻パネル６を取付けることで、屋根同士の間から風雨が入り込むことがない。
【００３６】
本発明は、以上に述べた実施形態に限定されない。屋根とパーゴラのレイアウトは無限にあり、梁と柱の本数を増やすことで屋根を４つ以上連棟することも可能である。屋根の構造自体は適宜変更することができ、フラットな屋根に限らず、垂木が湾曲したＲ形の屋根とすることもできる。側面パネルの受け部は、梁に一体成形することもできる。
【図面の簡単な説明】
【００３７】
【図１】（ａ）は第１実施形態の簡易建物の平面図、（ｂ）は同簡易建物の正面図である。
【図２】第１実施形態の簡易建物の側面図である。
【図３】図１のＡ−Ａ断面図である。
【図４】図１のＢ−Ｂ断面図である。
【図５】図１のＣ−Ｃ断面図である。
【図６】図４のＤ−Ｄ断面図である。
【図７】妻パネルを示す図である。
【図８】図１のＥ−Ｅ断面図である。
【図９】図１のＦ−Ｆ断面図である。
【図１０−１】第１実施形態の簡易建物の施工手順を順に示す斜視図である。
【図１０−２】図１０−１の続きである。
【図１１】（ａ）は第２実施形態の簡易建物の平面図、（ｂ）は同簡易建物の正面図である。
【図１２】第２実施形態の簡易建物の側面図である。
【図１３】図１１のＧ−Ｇ断面図である。
【図１４】（ａ）は第３実施形態の簡易建物の平面図、（ｂ）は同簡易建物の正面図である。
【図１５】第３実施形態の簡易建物の側面図である。
【図１６】屋根とパーゴラの一部を拡大して示す平面図である。
【図１７】図１４のＨ−Ｈ断面図である。
【図１８】図１４のＩ−Ｉ断面図である。
【図１９】（ａ）は第３実施形態の簡易建物の変形例を示す平面図、（ｂ）は同簡易建物の側面図である。
【図２０】（ａ）は第４実施形態の簡易建物の平面図、（ｂ）は同簡易建物の正面図である。
【図２１】第４実施形態の簡易建物の側面図である。
【図２２】（ａ）は第５実施形態の簡易建物の平面図、（ｂ）は同簡易建物の正面図である。
【図２３】第５実施形態の簡易建物の側面図である。
【図２４】（ａ）は第６実施形態の簡易建物の平面図、（ｂ）は同簡易建物の正面図である。
【図２５】（ａ）は第６実施形態の簡易建物の側面図であり、（ｂ）は図２４のＪ−Ｊ断面図である。
【図２６】本発明の簡易建物の他の実施形態を示す平面図である。
【図２７】梁と妻垂木との交差部を簡易建物の内側から見た側面図である。
【図２８】図２７のＡ−Ａ断面図である。
【符号の説明】
【００３８】
１，１ａ，１ｂ，１ｃ，１ｄ  梁
２，２ａ，２ｂ，２ｃ  屋根  
３  柱
４  躯体
５  躯体方立
６  妻パネル（側面パネル）
９  垂木掛け
１０  前枠
１１  妻垂木
２６  係合溝（係合部）
２７  カバー材
２８  妻パネル受け材（側面パネルの受け部）
２８ａ  係合溝
２９  タイト材
５７  排水孔（排水口）
【図１】
0005225754.tif 000002
【図２】
0005225754.tif 000003
【図３】
0005225754.tif 000004
【図４】
0005225754.tif 000005
【図５】
0005225754.tif 000006
【図６】
0005225754.tif 000007
【図７】
0005225754.tif 000008
【図８】
0005225754.tif 000009
【図９】
0005225754.tif 000010
【図１０−１】
0005225754.tif 000011
【図１０−２】
0005225754.tif 000012
【図１１】
0005225754.tif 000013
【図１２】
0005225754.tif 000014
【図１３】
0005225754.tif 000015
【図１４】
0005225754.tif 000016
【図１５】
0005225754.tif 000017
【図１６】
0005225754.tif 000018
【図１７】
0005225754.tif 000019
【図１８】
0005225754.tif 000020
【図１９】
0005225754.tif 000021
【図２０】
0005225754.tif 000022
【図２１】
0005225754.tif 000023
【図２２】
0005225754.tif 000024
【図２３】
0005225754.tif 000025
【図２４】
0005225754.tif 000026
【図２５】
0005225754.tif 000027
【図２６】
0005225754.tif 000028
【図２７】
0005225754.tif 000029
【図２８】
0005225754.tif 000030